(57)【要約】      （修正有）【課題】組み立て易く、強度に優れ、収納品の出し入れが容易で、特に、収納箱を棚に配置した状態で収納箱への収納品の出し入れが容易な収納箱の提供。【解決手段】組立式収納箱において、ベース面部の周方向両側に組立時に相互に対向する側面部及び突け合わせ片をそれぞれ折り曲げ線を介し連設し、ベース面部の両端には組立時に相互に対向する蓋面部及び差し込み片をそれぞれ折り曲げ線を介し連設し、各々の側面部の両端には組立時の蓋部の開口部をおおむね塞ぐ内フラップをそれぞれ折り曲げ線を介し連設した。【選択図】図１
0003108451.tif 000002
【実用新案登録請求の範囲】
【請求項１】
組立式収納箱において、ベース面部の周方向両側には組立時に相互に対向する側面部及び突き合わせ片をそれぞれ折り曲げ線を介し連設し、ベース面部の両端には組立時に相互に対向する蓋面部及び差し込み片を折り曲げ線を介しそれぞれ連設し、各々の側面部の両端には組立時の蓋部の開口部をおおむね塞ぐ内フラップをそれぞれ折り曲げ線を介し連設したことを特徴とする収納箱。
【請求項２】
少なくとも一つの蓋面部に指先を差し込む引掛部を形成したことを特徴とする請求項１記載の収納箱。
【考案の詳細な説明】
【技術分野】
【０００１】
本考案は、段ボール紙等を用いた組立式の収納箱に関し、特に、収納箱を棚に配置した状態で収納品の出し入れが容易な収納箱に係る。
【背景技術】
【０００２】
図５に従来の収納箱１００Ａの例を示し、図５（イ）に組立完成後の斜視図を示し、図５（ロ）に開蓋斜視図を示す。
従来の一般的な収納箱は、上面になる蓋部１２１Ａと底面になる底蓋部１２２Ａの各々突け合わせ片を接着テープ２００等を用いて貼り付ける構造になっている。
従って、例えば、図４に示すような棚３００に配置した状態で収納箱１００Ａへの収納品の出し入れは出来ず、その都度収納箱を棚３００から手元に下ろす必要があった。
これでは、収納品の数が多く収納箱全体として重い場合には大変で、場合によっては女性では収納品の出し入れができない場合も生じた。
また、蓋部の圧縮強度の確保が難しく、段ボール紙の厚みを厚くせざるを得なかった。
さらには、梱包する際には、上面と底面の両方を接着テープ２００等で貼り付けなければならなかった為、作業性が悪く、接着テープ２００等の経費削減も困難であった。
加えて、蓋部の開梱には接着テープ２００を長手方向全長に亘って、切るか剥がさなければならず、大変であった。
【０００３】
特開平１１−４９１３３号に組立式段ボールケースを示す。
しかし、この組立式段ボールケースは三角柱形状であり、直方体にすると強度が低下し、特に蓋部の強度が低下する恐れが高い。
【特許文献１】特開平１１−４９１３３号公報
【考案の開示】
【考案が解決しようとする課題】
【０００４】
本考案は、組み立て易く、強度に優れ、収納品の出し入れが容易で、特に、収納箱を棚に配置した状態で収納品の出し入れが容易な収納箱の提供を目的とする。
【課題を解決するための手段】
【０００５】
請求項１記載の収納箱は、ベース面部の周方向両側には組立時に相互に対向する側面部及び突き合わせ片をそれぞれ折り曲げ線を介し連設し、ベース面部の両端には組立時に相互に対向する蓋面部及び差し込み片をそれぞれ折り曲げ線を介し連設し、各々の側面部の両端には組立時の蓋部の開口部をおおむね塞ぐ内フラップをそれぞれ折り曲げ線を介し連設したことを特徴とする。
ここで、収納箱の周方向とは、ベース面部と、そのベース面部両側の側面部と、さらにその側面部の端部に形成したそれぞれの突き合わせ片で、断面四角形の筒状部を形成する方向を意味する。
また、ベース面部の両端とは、内フラップを内側に折り曲げてその上から蓋面部を重ねる蓋部をいう。
【０００６】
請求項２記載の収納箱は、請求項１記載の構成に加えて、少なくとも一つの蓋面部に指先を差し込む引掛部を形成したことを特徴とする。
【考案の効果】
【０００７】
ベース面部の周方向両側に側面部及び突き合わせ片を折り曲げ線を介し連設し、ベース面部の両端に蓋面部及び差し込み片を折り曲げ線を介し連設し、各々の側面部の両端に内フラップをそれぞれ折り曲げ線を介し連設したことにより一枚の段ボール紙等を裁断して組み立て易い収納箱にすることが出来る。
その上、組立完了後の収納箱の蓋部が蓋面部とフラップとで三重層になることにより圧縮強度を向上させることが出来、段ボール紙等の厚みをその分だけ薄くでき、資材の節約ができる。
そして、収納箱の少なくとも一つの蓋面部に指先を差し込む引掛部を形成することにより、組立完了後の収納箱の開蓋が容易に出来、特に、収納箱を棚に配置した状態で収納箱への収納品の出し入れが容易になる。
【考案を実施するための最良の形態】
【０００８】
図１（イ）に本考案に係る収納箱１００の組立完了後の斜視図を示し、図１（ロ）にこの収納箱１００の展開図を示す。
一枚のシート状の段ボール紙を用いて、図１（ロ）に示すような略矩形形状に裁断する。  収納箱１００の底面となるベース面部１０１の周方向両側に折り曲げ線１１０ａ、１１０ｂを入れ、側面部１０２ａ、１０２ｂをそれぞれ連設する。
各々の側面部１０２ａ、１０２ｂの周方向端部側に折り曲げ線１１１ａ、１１１ｂを入れ、突き合わせ片１０３ａ、１０３ｂをそれぞれ連設する。
この各々の突き合わせ片１０３ａ、１０３ｂは組み立てた時に底面になるベース面部１０１に対向する上面部１２０となるので、各々の突き合わせ片１０３ａ、１０３ｂは突き合わせた時にベース面部１０１と同じ大きさになるようにする。
ベース面部１０１の両端には、折り曲げ線１１２ａ、１１２ｂを入れ、蓋面部１０４ａ、１０４ｂをそれぞれ連設する。
蓋面部１０４ａ、１０４ｂは、側面部１０２ａ、１０２ｂの端部の辺長と同等の辺長を有する大きさにする。
各々の蓋面部１０４ａ、１０４ｂの端部側に折り曲げ線１１３ａ、１１３ｂを入れ、差し込み片１０５ａ、１０５ｂをそれぞれ連設する。
差し込み片１０５ａ、１０５ｂは収納箱１００の組立時の上面部１２０の内側に差し込んだ状態で上面部１２０と係止する程度の大きさにする。
各々の側面部１０２ａ、１０２ｂの端部に折り曲げ線１１４ａ、１１４ｂ、１１４ｃ、１１４ｄを入れ、組立時の各々の蓋部１２１ａ、１２１ｂの開口部をおおむね塞ぐ大きさの内フラップ１０６ａ、１０６ｂ、１０６ｃ、１０６ｄをそれぞれ連設する。
尚、各々の蓋面部１０４ａ、１０４ｂと各々の内フラップ１０６ａ、１０６ｂ、１０６ｃ、１０６ｄとは、各々の折り曲げ線１１２ａ、１１２ｂ、１１４ａ、１１４ｂ、１１４ｃ、１１４ｄで折り曲げて収納箱を組み立てる際に支障をきたさない程度に、各々内側に切り欠くのが良い。
各々の蓋面部１０４ａ、１０４ｂには、組立完了収納箱１００の各々の蓋部１２１ａ、１２１ｂを開蓋する際に指４００を引っ掛ける為の引掛部１０７ａ、１０７ｂをそれぞれ設ける。
ここでは引掛部１０７ａ、１０７ｂとしてＨ型の切り欠きを設ける例を示す。
【０００９】
図２に収納箱１００の組立工程例を示す。
図２（イ）に示すように、ベース面部１０１に対して周方向に連設した各々の側面部１０２ａ、１０２ｂを各々の折り曲げ線１１０ａ、１１０ｂを介しそれぞれＡａ、Ａｂ方向に向けて略９０度折り曲げ、各々の側面部１０２ａ、１０２ｂを相互に対向させる。
そして、各々の側面部１０２ａ、１０２ｂの両端を曲げ線１１４ａ、１１４ｂ、１１４ｃ、１１４ｄとし連設したそれぞれの内フラップ１０６ａ，１０６ｂ、１０６ｃ、１０６ｄをＢａ、Ｂｂ、Ｂｃ、Ｂｄ方向に向けて略９０度内側に折り曲げ、各々の蓋部１２１ａ、１２１ｂの開口部をおおむね塞ぐ。
次に、図２（ロ）に示すように、ベース面部１０１の両端に入れた折り曲げ線１１２ａ、１１２ｂを介して蓋面部１０４ａ、１０４ｂをＣａ、Ｃｂ方向に向けて略９０度内側に折り曲げ、各々の蓋面部１０４ａ、１０４ｂを相互に対向させる。
そして、各々の蓋面部１０４ａ、１０４ｂの端部の差し込み片１０５ａ、１０５ｂを各々折り曲げ線１１３ａ、１１３ｂを介しＤａ、Ｄｂ方向に向けて略９０度内側に折り曲げる。
次に、図２（ハ）に示すように、相互に対向する側面部１０２ａ、１０２ｂの周方向端部に連設した突け合わせ片１０３ａ、１０３ｂを各々の折り曲げ線１１１ａ、１１１ｂを介しＥａ、Ｅｂ方向に向けて略９０度内側に折り曲げる。
そして、収納箱に収納品を入れ、各々の蓋面部１０４ａ、１０４ｂに設けた引掛部１０７ａ、１０７ｂを避けて、各々の蓋面部１０４ａ、１０４ｂと突き合わせた各々の突け合わせ片１０３ａ、１０３ｂとを接着テープ２００等を用いて貼り付ければ収納箱１００の組立、あるいは梱包が完了する。
接着テープ２００を用いるのは一つの例であるが、接着テープ２００を用いれば一回の作業で各々の蓋面部１０４ａ、１０４ｂと各々の突き合わせ片１０３ａ、１０３ｂとを貼り付けることができる。
組立完了後の収納箱１００の各々の蓋部１２１ａ、１２１ｂは各々の蓋面部１０４ａ、１０４ｂと各々の内フラップ１０６ａ、１０６ｂ、１０６ｃ、１０６ｄとで三重層になるので、収納箱１００の圧縮強度が高く、従来に比較して段ボール紙等の厚みを薄くできる。
【００１０】
図３に収納箱１００を配置した多段棚３００の斜視図を示し、図４に多段棚３００に配置した状態での収納箱１００の蓋部１２１ａの開蓋例を示す
図４（イ）に示すように、開蓋する蓋部１２１ａの蓋面部１０４ａと各々の突き合わせ片１０３ａ、１０３ｂを貼り付けた接着テープ２００を切り取りあるいは接続を解除し、蓋面部１０４ａに設けた引掛部１０７ａに指４００を差し込んで開蓋方向Ｆに向けて引っ張り出し蓋面部１０４ａを開く。
ここでは蓋面部１０４ａと上面部１２０との接着テープ２００による貼り付けの解除を刃物５００等を用いて接着テープ２００等を切断する例を示す。
図４（ロ）に示すように、蓋部１２１ａの開口部をおおむね塞いでいた内フラップ１０６ａ、１０６ｂを各々のフラップ折り曲げ線１１４ａ、１１４ｂを介し各々のフラップ開蓋方向Ｇａ、Ｇｂに向けて外側に折り曲げることにより収納箱１００の蓋部１２１ａの開蓋が出来、収納箱１００を棚３００に配置した状態で収納箱への収納品の出し入れが容易になる。
また、収納箱１００の蓋部１２１ａを閉蓋するには図２に示した収納箱１００の組立工程と同様に各々の内フラップ１０６ａ、１０６ｂを各々のフラップ折り曲げ線１１４ａ、１１４ｂを介し各々Ｂａ、Ｂｂ方向に向けて略９０度内側に折り曲げ蓋部１２１ａの開口部をおおむね塞ぐ。
そして、開いた状態の蓋面部１０４ａを蓋面部折り曲げ線１１２ａを介し蓋面部折り曲げ方向Ｃａに向けて略９０度折り曲げると同時に、差し込み片１０５ａを差し込み片折り曲げ線１１３ａを介し差し込み片折り曲げ方向Ｄａに向けて略９０度折り曲げつつ収納箱１００の上面部１２０の内側に差し込めば良い。
必要であれば再度蓋面部１０４ａに設けた引掛部１０７ａを避けて蓋面部１０４ａと収納箱１００の上面部１２０とを接着テープ２００等を用いて貼り付ければ良い。
【図面の簡単な説明】
【００１１】
【図１】（イ）本考案に係る収納箱の組立完成後斜視図を示す。（ロ）本考案に係る収納箱の展開図を示す。
【図２】収納箱の組立工程の流れを示す。
【図３】棚に配置した収納箱の斜視図を示す。
【図４】棚に配置した状態での収納箱の蓋部の開閉例を示す。
【図５】従来の収納箱の構造例を示す。
【符号の説明】
【００１２】
１００              収納箱
１０１              ベース面部
１０２ａ、１０２ｂ  側面部
１０３ａ、１０３ｂ  突き合わせ片
１０４ａ、１０４ｂ  蓋面部
１０５ａ、１０５ｂ  差し込み片
１０６ａ、１０６ｂ、１０６ｃ、１０６ｄ  内フラップ
１０７ａ、１０７ｂ  引掛部
１１０ａ、１１０ｂ  側面部の折り曲げ線
１１１ａ、１１１ｂ  突き合わせ片の折り曲げ線
１１２ａ、１１２ｂ  蓋面部の折り曲げ線
１１３ａ、１１３ｂ  差し込み片の折り曲げ線
１１４ａ、１１４ｂ、１１４ｃ、１１４ｄ  フラップの折り曲げ線
１２０              上面部
１２１              蓋部
２００              接着テープ
３００              棚
４００              指
５００              刃物
Ａａ、Ａｂ          側面部の折り曲げ方向
Ｂａ、Ｂｂ、Ｂｃ、Ｂｄ  内フラップの折り曲げ方向
Ｃａ、Ｃｂ          蓋面部の折り曲げ方向
Ｄａ、Ｄｂ          差し込み片の折り曲げ方向
Ｅａ、Ｅｂ          突き合わせ片の折り曲げ方向
Ｆ                  蓋面部の開蓋方向
Ｇａ、Ｇｂ          内フラップの開蓋方向
【図１】
0003108451.tif 000003
【図２】
0003108451.tif 000004
【図３】
0003108451.tif 000005
【図４】
0003108451.tif 000006
【図５】
0003108451.tif 000007